(57)【要約】【課題】複雑な構成ではなく簡易に安全に誘導や警告などの案内ができる音声案内装置付白杖を提供する。【解決手段】音声案内装置付白杖１０は、白杖２０の先端部２１が、点字ブロック４０の任意の部分に接することで、カメラ３１が、点字ブロック４０のコード化された点状突起４２を撮影し、画像データが制御部３２に送られる。制御部３２が、この画像データと対応する音声データに変換してスピーカー３３に伝送し、スピーカー３３で音声データが音声に変換され、例えば、警告情報としての階段です、という音声が伝達される。【選択図】図１
0003208458.tif 000002
【実用新案登録請求の範囲】
【請求項１】
視覚障害者が用いる白杖に音声で案内をする音声案内装置が設けられ、前記視覚障害者に前記音声で案内をする音声案内装置付白杖であって、
前記音声案内装置は、
ブロック本体に複数の点状突起を有し、前記複数の点状突起はそれぞれが異なる所定の色で形成されており、前記それぞれの所定の色が所定の規則に従って配列されコード化されており、前記ブロック本体に前記配列の基準を示す目印を有する点字ブロックから、前記点状突起と前記目印を撮影するカメラと、前記カメラで撮影された画像データを画像認識処理し対応する音声データに変換する制御部と、前記音声データを音声として出力する音声発生器と、を有することを特徴とする音声案内装置付白杖。
【請求項２】
前記制御部は、前記カメラで撮影された前記点字ブロックの方向を判別することで、方向性に対応する音声データに変換することを特徴とする請求項１に記載の音声案内装置付白杖。
【考案の詳細な説明】
【技術分野】
【０００１】
本考案は、音声案内装置付白杖に関する。
【背景技術】
【０００２】
地面や床面にブロックを敷設することで視覚障害者を安全に誘導することができる視覚障害者誘導用ブロック（以下点字ブロックという）が知られており、電磁誘導装置を用いて視覚障害者に音声で誘導や警告などの案内を行うことも知られている（特許文献参照）。
【先行技術文献】
【特許文献】
【０００３】
【特許文献１】特開平０９−１７３３７９号公報
【考案の概要】
【考案が解決しようとする課題】
【０００４】
上記の視覚障害者に対する誘導や警告のための点字ブロックは視覚障害者に十分な案内ができず、例えば電磁誘導を用いる装置は、複雑であり簡易に用いることができないという問題があった。
【０００５】
そこで本考案は、このような課題を解決するためになされたもので、複雑な構成ではなく簡易に安全に誘導や警告などの案内ができる音声案内装置付白杖を提供することを目的とする。
【課題を解決するための手段】
【０００６】
上記課題を解決するために、本考案に係る音声案内装置付白杖は、視覚障害者が用いる白杖に音声で案内をする音声案内装置が設けられ、前記視覚障害者に前記音声で案内をする音声案内装置付白杖であって、前記音声案内装置は、ブロック本体に複数の点状突起を有し、前記複数の点状突起はそれぞれが異なる所定の色で形成されており、前記それぞれの所定の色が所定の規則に従って配列されコード化されており、前記ブロック本体に前記配列の基準を示す目印を有する点字ブロックから、前記点状突起と前記目印を撮影するカメラと、前記カメラで撮影された画像データを画像認識処理し対応する音声データに変換する制御部と、前記音声データを音声として出力する音声発生器と、を有することを特徴とする。
【０００７】
本考案に係る音声案内装置付白杖の態様について、前記制御部は、前記カメラで撮影された前記点字ブロックの方向を判別することで、方向性に対応する音声データに変換することが好ましい。
【考案の効果】
【０００８】
本考案の音声案内装置付白杖によれば、複雑な構成ではなく簡易に安全に誘導や警告などの案内ができる音声案内装置付白杖を提供することができる。
【図面の簡単な説明】
【０００９】
【図１】実施形態の音声装置付白杖を示す模式図である。
【図２】点字ブロックの一例を説明する模式図である。
【図３】音声装置付白杖の使用の一例を示す模式図である。
【考案を実施するための形態】
【００１０】
以下、本考案の音声装置付白杖の実施形態を、図１から図３を用いて説明する。
【００１１】
図１に示すように、音声案内装置付白杖１０は、視覚障害者Ｈが用いる白杖２０に音声で案内をする音声案内装置３０が設けられている。音声案内装置３０は、カメラ３１、制御部３２及び音声発生器の一例であるスピーカー３３を有しており、以下各構成について説明する。
【００１２】
カメラ３１は、図２に示す点字ブロック４０を撮影するために設けられている。この点字ブロック４０は、ブロック本体４１に複数の点状突起４２を有し、これらの複数の点状突起４２は、第１の色を有する０個、１個または複数の第１の点状突起４２ａと第２の色を有する０個、１個または複数の第２の点状突起４２ｂを有している。第１の点状突起４２ａと第２の点状突起４２ｂは、ビットとして用いられ、所定の規則に従って配列され、情報となるようにコード化されており、また、ブロック本体４１は、配列の基準を示す目印４３を有している。すなわち、カメラ３１は、このようなコード化された点状突起４２と目印４３を撮影するために設けられている。
【００１３】
制御部３２は、カメラ３１で撮影された上記のコード化された情報が入力され、対応する音声データに変換するために設けられ、また、スピーカー３３は、変換された音声データを音声として出力するために設けられている。
【００１４】
カメラ３１が、点字ブロック４０が設けられている領域を撮影することで、画像データが制御部３２に送られ、制御部３２が、この画像データを画像認識処理することでコードを抽出し後、このコードに対応する音声データに変換され、スピーカー３３でこの音声データが音声に変換され、伝達されることになる。なお、カメラ３１は、ＣＣＤカメラまたはＣＭＯＳカメラであってもよく、音声発生器としてのスピーカー３３は、例えばイヤホーンであってもよく、また、携帯端末に転送してこの携帯端末から通知する構成であってもよい。
【００１５】
すなわち、音声案内装置付白杖１０は、白杖２０の先端部２１が、例えば、点字ブロック４０の任意の部分に接することで、カメラ３１が、点字ブロック４０のコード化された点状突起４２を撮影し、この画像データが制御部３２に送られ、制御部３２が、この画像データを画像認識処理することでコードを抽出した後、このコードに対応する音声データに変換してスピーカー３３に伝送し、スピーカー３３で音声データが音声に変換されて伝達される。
【００１６】
なお、点字ブロック４０は、例えば、横断歩道です、という音声を発するためのコード、つまり第１の点状突起４２ａと第２の点状突起４２ｂの配列によるコードが施されており、また、他の領域においては、例えば、階段です、という音声を発するためのコードが施されている。このような点字ブロック４０は、例えば、横断歩道、階段、分かれ道、バス停留所、エスカレータ、エレベータ、トイレ、駅構内の案内、駅ホーム乗車口、施設内の案内などに設置されるものである。
【００１７】
また、図３に示すように、制御部３２は、カメラ３１で撮影された点字ブロック４０の方向を、目印４３を用いて判別することで、方向性に対応する音声データに変換することができる。すなわち、図の左側から進行すれば、上り階段終了です、という音声で案内され、一方、図の右側から進行すれば、下り階段です、という音声で案内される。これは、目印４３の方向情報としての機能に、角度情報としての機能を加えることでこのような判別を行うことができる。
【００１８】
上記のような特徴を有する本考案の音声案内装置付白杖１０は、情報がコード化されている点字ブロック４０をカメラ３１で撮影することで、視覚障害者Ｈが案内情報を音声で聞くことができるという簡易な構成であり、視覚障害者Ｈに対する音声案内の普及を図ることができるものである。
【００１９】
なお、上記の例は、点状突起４２の色を２つの色で説明しているが、これに限定されず、点状突起４２は、それぞれが所定の色で形成されており、それぞれの所定の色が所定の規則に従って配列されコード化されており、カメラ３１で撮影され画像認識処理されるように構成されてもよい。すなわち、上記の例では、点状突起４２の色の種類は２つであるが、色の種類を３つ、４つまたはそれ以上であってもよい。
このように色の種類を多くすることで、コードの種類を多くすることができる。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２１】
また、音声案内装置付白杖の大きさや形状、素材の厚さ、重さなどについては多様な実施形態が可能であり、それらについて本実施形態と異なる形態による実施は、本考案の技術的範囲に含まれる。
【符号の説明】
【００２２】
１０    音声案内装置付白杖
２０    白杖
２１    先端部
３０    音声案内装置
３１    カメラ
３２    制御部
３３    スピーカー
４０    点字ブロック
４１    ブロック本体
４２    点状突起
４２ａ  第１の点状突起
４２ｂ  第２の点状突起
４３    目印
Ｈ      視覚障害者
Ｋ      階段
【図１】
0003208458.tif 000003
【図２】
0003208458.tif 000004
【図３】
0003208458.tif 000005